(57)【特許請求の範囲】
【請求項１】
物品を挟持する挟持クリップであって、
基板部と、
前記基板部に対して相対移動可能な可動部と、
前記可動部をスライド方向に案内するとともに、前記可動部のスライド方向への相対移動に伴って、前記基板部との接近側に案内するガイド手段と、
前記可動部における前記基板部との対向面と、前記基板部における前記可動部との対向面と、にそれぞれ形成され、前記可動部が前記ガイド手段によって前記基板部との接近側に案内されるのに伴って、間に物品を挟持可能な挟持部と、
を有することを特徴とする挟持クリップ。
【請求項２】
請求項１に記載した挟持クリップであって、
前記ガイド手段が、
前記基板部の両側部に設けられた一対の第１ガイド突起と、
前記可動部の両側部における一対の前記第１ガイド突起にそれぞれ対応する位置に設けられ、一対の前記第１ガイド突起を嵌合される一対の第１ガイド溝と、
前記基板部の両側部に、一対の前記第１ガイド突起と所定の位置関係を以って設けられた一対の第２ガイド溝と、
前記可動部の両側部における一対の前記第２ガイド溝にそれぞれ対応する位置に設けられ、一対の前記第２ガイド溝にそれぞれ嵌合される一対の第２ガイド突起と、
からなることを特徴とする挟持クリップ。
【請求項３】
請求項２に記載した挟持クリップであって、
一対の前記第２ガイド溝はそれぞれ、前記可動部の全開状態から全閉状態に遷移する方向に向けて、前記可動部との離間側に傾斜するように設けられ、かつ、一対の当該第２ガイド溝の前記可動部の全開状態から全閉状態に遷移する方向側のそれぞれの先端に許容代が設けられたことを特徴とする挟持クリップ。
【請求項４】
請求項３に記載した挟持クリップであって、
全閉状態から全開状態に遷移する際に、前記可動部のスライド方向への相対移動に伴って、前記可動部を前記基板部に対して平行移動させるように、一対の前記第１ガイド溝と一対の前記第２ガイド溝との傾斜角が設定されたことを特徴とする挟持クリップ。
【請求項５】
請求項３に記載した挟持クリップであって、
全閉状態から全開状態に遷移する際に、前記可動部のスライド方向への相対移動に伴って、前記可動部を前記基板部に対して平行移動させ、続いて、回転移動させるように、一対の前記第１ガイド溝と一対の前記第２ガイド溝との傾斜角が設定されたことを特徴とする挟持クリップ。
【請求項６】
請求項３に記載した挟持クリップであって、
全閉状態から全開状態に遷移する際に、前記可動部のスライド方向への相対移動に伴って、前記可動部を前記基板部に対して回転移動させるように、一対の前記第１ガイド溝と一対の前記第２ガイド溝との傾斜角が設定されたことを特徴とする挟持クリップ。
【請求項７】
請求項３に記載した挟持クリップであって、
全閉状態から全開状態に遷移する際に、前記可動部のスライド方向への相対移動に伴って、前記可動部を前記基板部に対して回転移動させ、続いて、より急な角度で回転移動させるように、一対の前記第１ガイド溝と一対の前記第２ガイド溝との傾斜角が設定されたことを特徴とする挟持クリップ。
【請求項８】
請求項３に記載した挟持クリップであって、
全閉状態から全開状態に遷移する際に、前記可動部のスライド方向への相対移動に伴って、前記可動部を前記基板部に対して回転移動させ、続いて、より緩い角度で回転移動させるように、一対の前記第１ガイド溝と一対の前記第２ガイド溝との傾斜角が設定されたことを特徴とする挟持クリップ。
【請求項９】
請求項１〜８のいずれかに記載の挟持クリップであって、
前記挟持部が、
前記可動部における前記基板部との対向面に形成された係合突起と、
前記基板部における前記可動部との対向面に形成され、前記係合突起を遊嵌される係合凹部とからなり、
前記係合凹部は、前記可動部の全開状態から全閉状態に遷移する方向に向かって、徐々に幅が狭くなるように、かつ、前記可動部との離間方向に徐々に傾斜するように形成されたことを特徴とする挟持クリップ。
【請求項１０】
請求項９に記載した挟持クリップであって、
前記挟持部の係合凹部の傾斜が、一対の前記第２ガイド溝の傾斜より緩いことを特徴とする挟持クリップ。
【請求項１１】
請求項１〜１０のいずれかに記載の挟持クリップであって、
前記基板部に導電性部材を有することを特徴とする挟持クリップ。
【請求項１２】
請求項１１に記載の挟持クリップであって、
医療用のシート状電極を挟持することを特徴とする挟持クリップ。
【発明の詳細な説明】
【０００１】
【発明の属する技術分野】
本発明は、物品を挟持する挟持クリップに関し、特に、生体に貼付される医療用のシート状電極を挟持することにより、電気的接続を行うための挟持クリップに関する。
【０００２】
【従来の技術】
心電図検査のため、生体に貼付される医療用のシート状電極を挟持し、電気的接続を行うために使用される挟持クリップは、以下のような構造のものがある。
図１１は、特開平１１−３０９１２１号公報に開示されたシート電極用クリップを示す分解斜視図である。
図１１に示すように、シート電極用クリップ６０は、支軸６１を有する基板６２と、基板６２の支軸６１を長孔６３に嵌挿されることにより、基板６２に対して開閉方向に揺動可能に支持された可動板６４とを備え、シート電極を挟持可能に構成されている。
基板６２及び可動板６４間には、導電性材料からなるＵ字状の板バネ６５が介在されており、板バネ６５は、可動板６４を基板６２に対して開方向に常時付勢する。可動板６４は、起立部６６間にシート電極を位置された状態で、板バネ６５の付勢力に抗して閉方向に揺動される。
これにより、可動板６４は、閉状態となってシート電極を挟持するとともに、切り欠き溝６７に基板６２の突起６８を嵌合されることにより、閉状態を保持される。
【０００３】
また、他のシート電極用の挟持クリップとしては、特表平９−５０７７６９号公報に開示された電極コネクタがある。
図１３は、上記電極コネクタを示す断面図である。
図１３に示すように、電極コネクタ７０は、固定ジョー７１と、固定ジョー７１に対して相対旋回運動により開閉動作可能な可動ジョー７２とを備え、バイオメディカル電極のタブを挟持可能に構成されている。
固定ジョー７１及び可動ジョー７２間には、コイルバネ７３が介在される。コイルバネ７３は、可動ジョー７２を固定ジョー７１に対して閉方向に常時付勢する。
【０００４】
更に図示しないが、さらに他の既知のシート電極用の挟持クリップとして、シート状電極の厚み方向と略垂直方向にスライド可能な上下一対の部品間に、シート状電極を挟持するものもある。上下部品にはそれぞれ、対向する面に凸部が設けられており、各凸部がシート状電極を乗り越えた後の合わせ部で、シート状電極が挟持される。
【０００５】
【発明が解決しようとする課題】
しかしながら、上述した従来の図１１に示すシート電極用クリップ６０では、導電性材料からなるＵ字状の板バネ６５が必須であり、構造及び部品形状の複雑化が避けられず、部品点数及びコスト増大を招くという問題があった。
さらに、このシート電極用クリップ６０によって挟持し、生体に貼り付ける医療用のシート状電極は、厚みや材質が異なる多様な種類の物があるため、挟持するシート状電極の厚み及び材質等によっては、部品に無理な力が作用して破損してしまう恐れがある。
さらに、挟持するシート状電極の厚み及び材質等によっては、何らかの原因で、シート状電極が強く引っ張られた場合に外れやすいという問題点があった。
【０００６】
また、図１３に示す電極コネクタ７０では、可動ジョー７２を閉位置に付勢するコイルバネ７３、固定ジョー７１及び可動ジョー７２の両部品の固定用リブを別に設ける必要があり、前記シート電極用クリップ６０と同様に、構造及び部品形状の複雑化が避けられず、部品点数、組付け工数及びコストの増大を招くという問題があった。
さらに、この電極コネクタ７０に、例えば、心電図検査を行っている患者に貼り付けられたシート状電極を挟持した場合に、患者が動いた際に何らかの拍子にバネ部分が押されてシート状電極が外れてしまうという問題点がある。また、シート状電極の挟持力を向上させるためには、可動ジョー７２を閉位置に付勢するコイルバネ７３のバネ力を強くする必要があり、操作性が悪化するという不具合が生じるという問題点がある。
さらに、挟持するシート状電極の厚み及び材質等によっては、何らかの原因で、シート状電極が強く引っ張られた場合に外れやすいという問題点があった。
【０００７】
さらに、生体に貼り付ける医療用のシート状電極は、厚みや材質が異なる多様な種類のものがあるため、従来のシート電極用クリップでは、挟持するシート状電極の厚み及び材質等によっては、部品に無理な力が作用して破損するおそれがあった。
【０００８】
従来の、医療用のシート状電極を挟持し、電気的接続を行うために使用される挟持クリップは、以上のような問題がある。
このため、例えば、心電図検査を行っている患者に貼り付けられたシート状電極を、これら従来の挟持クリップで挟持した場合は、患者が動いた際に何らかの拍子にバネ部分が押されてシート状電極が外れてしまうという問題点がある。
また、バネを使用していない挟持クリップで挟持した場合は、何らかの原因で、シート状電極が強く引っ張られた場合に外れやすいという問題点があり、バネを使用した挟持クリップでも、同様である。
【０００９】
本発明は、前述した問題点に鑑みてなされたものであり、その目的は構造及び部品形状の単純化を図るとともに、部品点数、組付け工数及びコスト削減を図ることができるものでありながら、強固な挟持力及び良好な操作性を確保することができ、特に、生体に貼付される医療用のシート状電極を挟持することに適した挟持クリップを提供することにある。
【００１０】
【課題を解決するための手段】
前述した目的を達成するために、本発明に係る挟持クリップは、請求項１に記載したように、物品を挟持する挟持クリップであって、基板部と、前記基板部に対して相対移動可能な可動部と、前記可動部をスライド方向に案内するとともに、前記可動部のスライド方向への相対移動に伴って、前記基板部との接近側に案内するガイド手段と、前記可動部における前記基板部との対向面と、前記基板部における前記可動部との対向面と、にそれぞれ形成され、前記可動部が前記ガイド手段によって前記基板部との接近側に案内されるのに伴って、間に物品を挟持可能な挟持部と、を有することを特徴とする。
このような挟持クリップにおいては、物品を挟持する際、可動部が基板部に対して相対移動する。相対移動する可動部は、ガイド手段によってスライド方向に案内されるとともに、基板部との接近側に案内される。可動部がガイド手段によって基板部との接近側に案内されるのに伴って、挟持部が物品を間に挟持することができるので、これにより前述した目的を達成できる。
【００１１】
さらに、本発明に係る挟持クリップは、請求項２に記載したように、前記ガイド手段が、前記基板部の両側部に設けられた一対の第１ガイド突起と、前記可動部の両側部における一対の前記第１ガイド突起にそれぞれ対応する位置に設けられ、一対の前記第１ガイド突起を嵌合される一対の第１ガイド溝と、前記基板部の両側部に、一対の前記第１ガイド突起と所定の位置関係を以って設けられた一対の第２ガイド溝と、前記可動部の両側部における一対の前記第２ガイド溝にそれぞれ対応する位置に設けられ、一対の前記第２ガイド溝にそれぞれ嵌合される一対の第２ガイド突起と、からなることを特徴とする。
このような挟持クリップにおいては、基板部の各第１ガイド突起がそれぞれ、可動部の各第１ガイド溝に嵌合されるとともに、基板部の各第２ガイド溝がそれぞれ、可動部の各第２ガイド突起を嵌合される。これにより、ガイド手段は、基板部に対して相対移動される可動部をスライド方向に案内するとともに、可動部のスライド方向への相対移動に伴って、基板部との接近側に案内することができる。
【００１２】
本発明に係る挟持クリップは、請求項３に記載したように、一対の前記第２ガイド溝はそれぞれ、前記可動部の全開状態から全閉状態に遷移する方向に向けて、前記可動部との離間側に傾斜するように設けられ、かつ、一対の当該第２ガイド溝の前記可動部の全開状態から全閉状態に遷移する方向側のそれぞれの先端に許容代が設けられたことを特徴とする。
このような挟持クリップにおいては、全閉状態にあるとき、可動部の全開状態から全閉状態に遷移する方向へ向けて引張力が生じたとき、第２ガイド溝が可動部との離間側に傾斜するように設けられ、かつ、許容代により力が加わる余裕が与えられているので、斜め下前方に移動する力が働き、これにより、下方に向けて引っ張る力が働く。よって、より強い挟持力を得ることができる。
【００１３】
本発明に係る挟持クリップは、請求項４に記載したように、全閉状態から全開状態に遷移する際に、前記可動部のスライド方向への相対移動に伴って、前記可動部を前記基板部に対して平行移動させるように、一対の前記第１ガイド溝と一対の前記第２ガイド溝との傾斜角が設定されたことを特徴とする。
このような挟持クリップにおいては、全開状態の位置から、可動部が全開状態から全閉状態に遷移する方向に平行移動するように変位されつつスライドし、全閉状態の位置まで相対移動することによって、より強い挟持力を得ることができる。
【００１４】
本発明に係る挟持クリップは、請求項５に記載したように、全閉状態から全開状態に遷移する際に、前記可動部のスライド方向への相対移動に伴って、前記可動部を前記基板部に対して平行移動させ、続いて、回転移動させるように、一対の前記第１ガイド溝と一対の前記第２ガイド溝との傾斜角が設定されたことを特徴とする。
このような挟持クリップにおいては、全開状態の位置から、可動部が基板部に対して反時計方向に回転移動するように変位されつつスライドし、続いて、平行移動するように変位されつつスライドし、全閉状態の位置まで相対移動することによって、より強い挟持力を得ることができる。
【００１５】
本発明に係る挟持クリップは、請求項６に記載したように、全閉状態から全開状態に遷移する際に、前記可動部のスライド方向への相対移動に伴って、前記可動部を前記基板部に対して回転移動させるように、一対の前記第１ガイド溝と一対の前記第２ガイド溝との傾斜角が設定されたことを特徴とする。
このような挟持クリップにおいては、全開状態の位置から、可動部が基板部に対して反時計方向に回転移動するように変位されつつスライドし、全閉状態の位置まで相対移動することによって、より強い挟持力を得ることができる。
【００１６】
本発明に係る挟持クリップは、請求項７に記載したように、全閉状態から全開状態に遷移する際に、前記可動部のスライド方向への相対移動に伴って、前記可動部を前記基板部に対して回転移動させ、続いて、より急な角度で回転移動させるように、一対の前記第１ガイド溝と一対の前記第２ガイド溝との傾斜角が設定されたことを特徴とする。
このような挟持クリップにおいては、全開状態の位置から、可動部が基板部に対して反時計方向に回転移動するように変位されつつスライドし、続いて、さらに急角度で基板部に対して反時計方向に回転移動するように変位されつつスライドし、全閉状態の位置まで相対移動することによって、より強い挟持力を得ることができる。
【００１７】
本発明に係る挟持クリップは、請求項８に記載したように、全閉状態から全開状態に遷移する際に、前記可動部のスライド方向への相対移動に伴って、前記可動部を前記基板部に対して回転移動させ、続いて、より緩い角度で回転移動させるように、一対の前記第１ガイド溝と一対の前記第２ガイド溝との傾斜角が設定されたことを特徴とする。
このような挟持クリップにおいては、全開状態の位置から、可動部が基板部に対して反時計方向に回転移動するように変位されつつスライドし、続いて、より緩い角度で基板部に対して反時計方向に回転移動するように変位されつつスライドし、全閉状態の位置まで相対移動することによって、より強い挟持力を得ることができる。
【００１８】
本発明に係る挟持クリップは、請求項９に記載したように、前記挟持部が、前記可動部における前記基板部との対向面に形成された係合突起と、前記基板部における前記可動部との対向面に形成され、前記係合突起を遊嵌される係合凹部とからなり、前記係合凹部は、前記可動部の全開状態から全閉状態に遷移する方向に向かって、徐々に幅が狭くなるように、かつ、前記可動部との離間方向に徐々に傾斜するように形成されたことを特徴とする。
このような挟持クリップにおいては、挟持部が、係合突起及び係合凹部間に物品を挟持すると、物品は、係合凹部内に入り込んだ状態で係合突起との間に挟持される。この状態では、物品に引張り力が作用すると、係合突起が、係合凹部における可動部の全開状態から全閉状態に遷移する方向側の幅の狭い部位側に相対移動される。
さらに、可動部と基板部の対向面に設けられた挟持部の間隔が狭まる。
これにより、物品が、係合突起及び係合凹部間でより強固に挟持される。したがって、挟持した物品の抜け等を確実に防止することができる。
【００１９】
本発明に係る挟持クリップは、請求項１０に記載したように、前記挟持部の係合凹部の傾斜が、一対の前記第２ガイド溝の傾斜より緩いことを特徴とする。
このような挟持クリップにおいては、挟持部が、係合突起及び係合凹部間に物品を挟持した際、挟持部の係合凹部とガイド手段の第２ガイド溝との傾斜の差異により、係合凹部内に遊嵌された係合突起との間に、物品をより強固に挟持することができる。
【００２０】
本発明に係る挟持クリップは、請求項１１に記載したように、前記基板部に導電性部材を有することを特徴とする。
このような挟持クリップにおいては、例えば、他の導電性部材を挟持することにより、電気的接続を容易かつ確実に行うことができる。
【００２１】
本発明に係る挟持クリップは、請求項１２に記載したように、医療用のシート状電極を挟持することを特徴とする。
このような挟持クリップにおいては、厚みや材質が異なる多様な医療用のシート状電極を挟持することができ、医療機器への電気的接続を容易かつ確実に行うことができる。
【００２２】
【発明の実施の形態】
以下、本発明に係る実施の形態を図面に基づいて詳細に説明する。（第１の実施の形態）
まず、本発明に係る第１実施の形態を図面に基づいて詳細に説明する。
図１は、第１の実施の形態に係る挟持クリップを示す分解斜視図である。
図２は、図１の挟持クリップの全閉状態を示す斜視図である。
図３は、第１の実施の形態に係る挟持クリップの側面図である。
図４は、図２の挟持クリップのシート状電極を挟持した状態を示す断面図である。
図５は、図１の挟持クリップの全閉状態から全開状態へのスライド途中の状態を示す側面図である。
【００２３】
これらの図において、挟持クリップ１０は、可動部２０を基板部３０に対して全開状態の位置から全閉状態の位置（図２〜図４に示す位置）まで、スライド操作可能である。挟持クリップ１０は、可動部２０をスライド操作されるのに伴って、可動部２０をガイド機構４０によって案内され、挟持部５０の係合突起５１及び係合凹部５２の間隔を徐々に狭めるように、可動部２０を基板部３０に対して相対移動される。これにより挟持クリップ１０は、挟持部５０にシート状電極１１を挟持する。
【００２４】
基板部３０には、リード線３１を接続された導電性部材３２が、挟持部５０の係合凹部５２を囲むように設けられる。導電性部材３２における可動部２０の全開状態から全閉状態に遷移する方向側には、鋸刃状に形成された部位３２ａが設けられており、当該鋸刃状の部位３２ａによって、挟持されたシート状電極１１の抜け防止が図られる。
また、導電性部材３２とシート状電極１１との導通は、導電性部材３２の平面部３２ｂと、シート状電極１１の対応部位との間で行われる。導電性部材３２の平面部３２ｂと、シート状電極１１の対応部位とは、挟持部５０の係合凹部５２への係合突起５１の遊嵌に伴って係合させられる。したがって、導電性部材３２と擦れ等に起因するシート状電極１１の導電層の剥がれ、シート状電極１１の導電層の剥がれに伴う導電性不良等が確実に回避される。
【００２５】
ガイド機構４０は、基板部３０に対して相対移動される可動部２０をスライド方向に案内するとともに、可動部２０のスライド方向への相対移動に伴って、可動部２０を基板部３０に対して回転移動および／または平行移動するように変位させつつ、基板部３０との接近側に案内する。
【００２６】
すなわちガイド機構４０は、基板部３０に設けられた一対の第１ガイド突起４１及び一対の第２ガイド溝４２、可動部２０に設けられた一対の第１ガイド溝４３及び一対の第２ガイド突起４４からなる。
【００２７】
第１ガイド突起４１は、基板部３０の両側部におけるリード線３１寄り（図１中右側）に一対設けられる。
第１ガイド溝４３は、可動部２０の両側部における各第１ガイド突起４１にそれぞれ対応する位置に一対設けられており、各第１ガイド突起４１を嵌合される。各第１ガイド溝４３はそれぞれ、図３に示すように、全開状態から全閉状態に遷移する方向（図３左方）に向けて、基板部３０との接近側（図３下方）に傾斜し、続いて、基板部３０との離間側（図３上方）に傾斜するように傾斜角が設定されて設けられている。
【００２８】
第２ガイド溝４２は、基板部３０の両側部に一対、第１ガイド突起４１よりも挟持部５０寄り（図１において左側）に、第１ガイド突起４１と所定の位置関係を以って設けられる。
図３に示すように、一対の第２ガイド溝４２はそれぞれ、可動部２０の全開状態から全閉状態に遷移する方向（図３左方）に向けて、可動部２０との離間側（図３下方）に傾斜し、続いて、角度が緩くなるように変えて同じく可動部２０との離間側（図３下方）に傾斜するように傾斜角が設定されて設けられ、かつ、可動部２０の全開状態から全閉状態に遷移する方向側の先端には許容代４５が設けられる。この許容代４５は、挟持クリップ１０が全閉状態にあるとき、引張力Ｆが生じた場合に、余裕を与えるためのものである。
一対の第２ガイド突起４４は、可動部２０の両側部における各第２ガイド溝４２にそれぞれ対応する位置に設けられており、各第２ガイド溝４２に嵌合される。
【００２９】
挟持クリップ１０が全閉状態にあるとき、リード線３１を引っ張る方向の力Ｆの反作用として、可動部２０の全開状態から全閉状態に遷移する方向へ向けて引張力Ｆが生じたとき、第２ガイド突起４４には、引張力Ｆ１がかかり、第２ガイド溝４２が図３下方に傾斜するように設けられているので、図３の斜め下前方に移動する力Ｆ２が働く。これにより、シート状電極１１を挟持する力Ｆ３（図３の下方に向けて引っ張る力）が働く。
よって、挟持クリップ１０が全閉状態にあるとき、リード線３１を引っ張った場合に、より強くシート状電極１１を挟持することができる。
【００３０】
挟持部５０は、可動部２０における基板部３０との対向面（図１において下面）に形成された係合突起５１と、基板部３０における可動部２０との対向面（図１において上面）に形成され、係合突起５１を遊嵌される係合凹部５２とからなる。
係合凹部５２は、可動部２０の全開状態から全閉状態に遷移する方向に向かって、徐々に幅が狭くなるように、かつ、可動部２０との離間方向（図１において下方）に徐々に傾斜するように形成される。また、係合凹部５２の傾斜は、前記ガイド機構４０の第２ガイド溝４２の傾斜より緩く形成される。
【００３１】
挟持部５０は、全開状態の位置から全閉状態の位置にスライド操作される可動部２０が、ガイド機構４０によって基板部３０との接近側に案内されるのに伴って、全開状態から全閉状態に遷移され、係合突起５１及び係合凹部５２間にシート状電極１１を挟持する。
【００３２】
以下、第１の実施の形態の動作および作用を説明する。
シート状電極１１を挟持する際、挟持クリップ１０が全開状態にあるときの可動部２０の基板部３０に対する位置で、挟持部５０の係合突起５１及び係合凹部５２間に、シート状電極１１が遊挿される。
この際、挟持部５０の係合突起５１及び係合凹部５２間には、十分な間隔が確保されており、シート状電極１１の挿入が迅速かつ円滑に行われる。
【００３３】
次に、全開状態から、可動部２０が基板部３０に対して図の左方にスライド操作され、図５に示すスライド途中の位置を経て、図２〜図４に示す全閉状態の位置まで相対移動される。
全開状態の位置から、可動部２０は、ガイド機構４０によって、基板部３０に対して反時計方向に回転移動するように変位されつつスライドして、続いて、図左方に平行移動するように変位されつつスライドして全閉状態の位置まで相対移動する。
そして、可動部２０が全閉状態の位置へ相対移動するのに伴って、挟持部５０が、係合突起５１及び係合凹部５２を略平行に保たれたまま、それらの間隔を徐々に狭められ、間にシート状電極１１を挟持する。
【００３４】
（第２の実施の形態）
本実施の形態は、一対の第１ガイド溝４３ａおよび一対の第２ガイド溝４２ａの傾斜角の設定が異なる以外は、前述の第１の実施の形態と同様であり、以下、第１の実施の形態との相違点のみを図に基づいて説明する。
図６は、第２の実施の形態に係る挟持クリップの側面図である。
一対の第１ガイド溝４３ａはそれぞれ、図６に示すように、全開状態から全閉状態に遷移する方向（図６左方）に向けて、図６下方に傾斜するように傾斜角が設定されている。また、一対の第２ガイド溝４２ａはそれぞれ、可動部２０の全開状態から全閉状態に遷移する方向（図６左方）に向けて、図６下方に傾斜するように傾斜角が設定されている。
【００３５】
次に、全開状態から、可動部２０が基板部３０に対して図の左方にスライド操作され、図５に示すスライド途中の位置を経て、図２，図６，図４に示す全閉状態の位置まで相対移動される動作および作用について説明する。
全開状態の位置から、可動部２０は、ガイド機構４０によって、全開状態から全閉状態に遷移する方向（図６左方）に平行移動するように変位されつつスライドし、全閉状態の位置まで相対移動する。
他の動作および作用は前述の第１の実施の形態と同様である。
【００３６】
（第３の実施の形態）
本実施の形態は、一対の第１ガイド溝４３ｂおよび一対の第２ガイド溝４２ｂの傾斜角の設定が異なる以外は、前述の第１の実施の形態と同様であり、以下、第１の実施の形態との相違点のみを図に基づいて説明する。
図７は、第３の実施の形態に係る挟持クリップの側面図である。
一対の第１ガイド溝４３ｂはそれぞれ、図７に示すように、全開状態から全閉状態に遷移する方向（図７左方）に向けて、図７下方に傾斜し、続いて、図７上方に傾斜するように傾斜角が設定されている。また、一対の第２ガイド溝４２ｂはそれぞれ、可動部２０の全開状態から全閉状態に遷移する方向（図７左方）に向けて、図７下方に傾斜するように傾斜角が設定されている。
【００３７】
次に、全開状態から、可動部２０が基板部３０に対して図の左方にスライド操作され、図５に示すスライド途中の位置を経て、図２，図７，図４に示す全閉状態の位置まで相対移動される動作および作用について説明する。
全開状態の位置から、可動部２０は、ガイド機構４０によって、基板部３０に対して反時計方向に回転移動するように変位されつつスライドし、続いて、図の左方に平行移動するように変位されつつスライドし、全閉状態の位置まで相対移動する。
他の動作および作用は前述の第１の実施の形態と同様である。
【００３８】
（第４の実施の形態）
本実施の形態は、一対の第１ガイド溝４３ｃおよび一対の第２ガイド溝４２ｃの傾斜角の設定が異なる以外は、前述の第１の実施の形態と同様であり、以下、第１の実施の形態との相違点のみを図に基づいて説明する。
図８は、第４の実施の形態に係る挟持クリップの側面図である。
一対の第１ガイド溝４３ｃはそれぞれ、図８に示すように、全開状態から全閉状態に遷移する方向（図８左方）に向けて、図８下方に傾斜するように傾斜角が設定されている。また、一対の第２ガイド溝４２ｃはそれぞれ、可動部２０の全開状態から全閉状態に遷移する方向（図８左方）に向けて、図８下方に傾斜するように傾斜角が設定されている。
【００３９】
次に、全開状態から、可動部２０が基板部３０に対して左方にスライド操作され、図５に示すスライド途中の位置を経て、図２，図８，図４に示す全閉状態の位置まで相対移動される動作および作用について説明する。
全開状態の位置から、可動部２０は、ガイド機構４０によって、基板部３０に対して反時計方向に回転移動するように変位されつつスライドし、全閉状態の位置まで相対移動する。
他の動作および作用は前述の第１の実施の形態と同様である。
【００４０】
（第５の実施の形態）
本実施の形態は、一対の第１ガイド溝４３ｄおよび一対の第２ガイド溝４２ｄの傾斜角の設定が異なる以外は、前述の第１の実施の形態と同様であり、以下、第１の実施の形態との相違点のみを図に基づいて説明する。
図９は、第５の実施の形態に係る挟持クリップの側面図である。
一対の第１ガイド溝４３ｄはそれぞれ、図９に示すように、全開状態から全閉状態に遷移する方向（図９左方）に向けて、図９上方に傾斜するように傾斜角が設定されている。続いて、さらに急角度で図９上方に傾斜するように傾斜角が設定されている。また、一対の第２ガイド溝４２ｄはそれぞれ、可動部２０の全開状態から全閉状態に遷移する方向（図９左方）に向けて、図９下方に傾斜するように傾斜角が設定されている。
【００４１】
次に、全開状態から、可動部２０が基板部３０に対して図の左方にスライド操作され、図５に示すスライド途中の位置を経て、図２，図９，図４に示す全閉状態の位置まで相対移動される動作および作用について説明する。
全開状態の位置から、可動部２０は、ガイド機構４０によって、基板部３０に対して反時計方向に回転移動するように変位されつつスライドし、続いて、さらに急角度で基板部３０に対して反時計方向に回転移動するように変位されつつスライドし、全閉状態の位置まで相対移動する。
他の動作および作用は前述の第１の実施の形態と同様である。
【００４２】
（第６の実施の形態）
本実施の形態は、一対の第１ガイド溝４３ｅおよび一対の第２ガイド溝４２ｅの傾斜角の設定が異なる以外は、前述の第１の実施の形態と同様であり、以下、第１の実施の形態との相違点のみを図に基づいて説明する。
図１０は、第６の実施の形態に係る挟持クリップの側面図である。
一対の第１ガイド溝４３ｅはそれぞれ、図１０に示すように、全開状態から全閉状態に遷移する方向（図１０左方）に向けて、図１０上方に傾斜するように傾斜角が設定されている。また、一対の第２ガイド溝４２ｅはそれぞれ、可動部２０の全開状態から全閉状態に遷移する方向（図１０左方）に向けて、図１０下方に傾斜し、続いて、角度が緩くなるように変えて同じく図１０下方に傾斜するように傾斜角が設定されている。
【００４３】
次に、全開状態から、可動部２０が基板部３０に対して図の左方にスライド操作され、図５に示すスライド途中の位置を経て、図２，図１０，図４に示す全閉状態の位置まで相対移動される動作および作用について説明する。
全開状態の位置から、可動部２０は、ガイド機構４０によって、基板部３０に対して反時計方向に回転移動するように変位されつつスライドし、続いて、より緩い角度で基板部３０に対して反時計方向に回転移動するように変位されつつスライドし、全閉状態の位置まで相対移動する。
他の動作および作用は前述の第１の実施の形態と同様である。
【００４４】
以上のように、第１〜第６の実施の形態によれば、挟持クリップ１０は、シート状電極１１を挟持する際、可動部２０を基板部３０に対して、全開状態の位置から全閉状態の位置までスライド操作される。
この際、可動部２０は、ガイド機構４０によって案内されることにより、挟持部５０の係合突起５１及び係合凹部５２の間隔を徐々に狭めるように、基板部３０に対して相対移動され、挟持部５０にシート状電極１１を挟持する。
したがって、構造及び部品形状の単純化を図ることができるとともに、可動部２０を付勢するためのスプリング等を不要として、部品点数、組付け工数及びコスト削減を図ることができるものでありながら、シート状電極１１への強固な挟持力及び良好な操作性を確保することができる。
【００４５】
またガイド機構４０は、可動部２０のスライド操作に伴って、可動部２０を基板部３０に対して揺動するように変位させつつ、基板部３０との接近側に案内する。
したがって、全閉状態の位置に可動部２０があるとき、シート状電極１１を挟持部５０の係合突起５１及び係合凹部５２間に確実に挟持することができるものでありながら、全開状態の位置に可動部２０があるとき、挟持部５０の係合突起５１及び係合凹部５２の間隔を大きくとることができる。
これにより、シート状電極１１を挟持する際の良好な作業性を得ることができるとともに、多様な形状及び厚みのシート状電極１１を無理なく挟持可能である。
【００４６】
さらに、挟持したシート状電極１１に引張力Ｆが作用した場合には、挟持部５０の係合突起５１が、係合凹部５２における可動部２０の全開状態から全閉状態に遷移する方向側の幅の狭い部位側に相対移動される。
さらに、可動部２０の全開状態から全閉状態に遷移する方向へ向けて引張力Ｆが生じたとき、第２ガイド突起４４には、引張力Ｆ１がかかりこの第２ガイド溝４２に沿って斜めに前方にスライド移動し、シート状電極１１を挟持する力Ｆ３が働き、かつ、挟持部５０の間隔も同時に狭まり、相乗効果によりさらに挟持力が向上する。
したがって、シート状電極１１を、挟持部５０の係合突起５１及び係合凹部５２間でより強固に挟持することができる。これにより、挟持したシート状電極１１の抜け等を確実に防止することができる。
【００４７】
特に、本発明に係る挟持クリップは、心電図検査のため、生体に貼付される医療用のシート状電極を挟持し、電気的接続を行うために使用した場合に、患者が動いた際、シート状電極が容易に外れることがない。
また、何らかの原因で、シート状電極が強く引っ張られた場合には、この引っ張り力が、挟持する力がより強く働くためシート状電極が容易に外れることがない。
【００４８】
【発明の効果】
以上、説明したように、本発明によれば、請求項１記載に記載したように、物品を挟持する挟持クリップであって、基板部と、前記基板部に対して相対移動可能な可動部と、前記可動部をスライド方向に案内するとともに、前記可動部のスライド方向への相対移動に伴って、前記基板部との接近側に案内するガイド手段と、前記可動部における前記基板部との対向面と、前記基板部における前記可動部との対向面と、にそれぞれ形成され、前記可動部が前記ガイド手段によって前記基板部との接近側に案内されるのに伴って、間に物品を挟持可能な挟持部と、を有するので、構造及び部品形状の単純化を図るとともに、部品点数、組付け工数及びコスト削減を図ることができるものでありながら、強固な挟持力及び良好な操作性を確保することができる挟持クリップを提供できる。
【００４９】
さらに、本発明によれば、請求項２記載に記載したように、前記ガイド手段が、前記基板部の両側部に設けられた一対の第１ガイド突起と、前記可動部の両側部における一対の前記第１ガイド突起にそれぞれ対応する位置に設けられ、一対の前記第１ガイド突起を嵌合される一対の第１ガイド溝と、前記基板部の両側部に、一対の前記第１ガイド突起と所定の位置関係を以って設けられた一対の第２ガイド溝と、前記可動部の両側部における一対の前記第２ガイド溝にそれぞれ対応する位置に設けられ、一対の前記第２ガイド溝にそれぞれ嵌合される一対の第２ガイド突起と、からなることで、構造及び部品形状の単純化を図るとともに、部品点数、組付け工数及びコスト削減を図ることができるものでありながら、強固な挟持力及び良好な操作性を確保することができる挟持クリップを提供できる。
【００５０】
さらに、本発明によれば、請求項３に記載したように、一対の前記第２ガイド溝はそれぞれ、前記可動部の全開状態から全閉状態に遷移する方向に向けて、前記可動部との離間側に傾斜するように設けられ、かつ、一対の当該第２ガイド溝の前記可動部の全開状態から全閉状態に遷移する方向側のそれぞれの先端に許容代が設けられたことで、全閉状態にあるとき、可動部の全開状態から全閉状態に遷移する方向へ向けて引張力が生じたとき、第２ガイド溝が可動部との離間側に傾斜するように設けられ、かつ、許容代により力が加わる余裕が与えられているので、斜め下前方に移動する力が働き、これにより、下方に向けて引っ張る力が働く。よって、より強い挟持力を得ることができる挟持クリップを提供できる。
【００５１】
さらに、本発明によれば、請求項４に記載したように、全閉状態から全開状態に遷移する際に、前記可動部のスライド方向への相対移動に伴って、前記可動部を前記基板部に対して平行移動させるように、一対の前記第１ガイド溝と一対の前記第２ガイド溝との傾斜角が設定されたことで、全開状態の位置から、可動部が全開状態から全閉状態に遷移する方向に平行移動するように変位されつつスライドし、全閉状態の位置まで相対移動することによって、より強い挟持力を得ることができる挟持クリップを提供できる。
【００５２】
また、本発明によれば、請求項５に記載したように、全閉状態から全開状態に遷移する際に、前記可動部のスライド方向への相対移動に伴って、前記可動部を前記基板部に対して平行移動させ、続いて、回転移動させるように、一対の前記第１ガイド溝と一対の前記第２ガイド溝との傾斜角が設定されたことで、全開状態の位置から、可動部が基板部に対して反時計方向に回転移動するように変位されつつスライドし、続いて、平行移動するように変位されつつスライドし、全閉状態の位置まで相対移動することによって、より強い挟持力を得ることができる挟持クリップを提供できる。
【００５３】
また、本発明によれば、請求項６に記載したように、全閉状態から全開状態に遷移する際に、前記可動部のスライド方向への相対移動に伴って、前記可動部を前記基板部に対して回転移動させるように、一対の前記第１ガイド溝と一対の前記第２ガイド溝との傾斜角が設定されたことで、全開状態の位置から、可動部が基板部に対して反時計方向に回転移動するように変位されつつスライドし、全閉状態の位置まで相対移動することによって、より強い挟持力を得ることができる挟持クリップを提供できる。
【００５４】
また、本発明によれば、請求項７に記載したように、全閉状態から全開状態に遷移する際に、前記可動部のスライド方向への相対移動に伴って、前記可動部を前記基板部に対して回転移動させ、続いて、より急な角度で回転移動させるように、一対の前記第１ガイド溝と一対の前記第２ガイド溝との傾斜角が設定されたことで、全開状態の位置から、可動部が基板部に対して反時計方向に回転移動するように変位されつつスライドし、続いて、さらに急角度で基板部に対して反時計方向に回転移動するように変位されつつスライドし、全閉状態の位置まで相対移動することによって、より強い挟持力を得ることができる挟持クリップを提供できる。
【００５５】
また、本発明によれば、請求項８に記載したように、全閉状態から全開状態に遷移する際に、前記可動部のスライド方向への相対移動に伴って、前記可動部を前記基板部に対して回転移動させ、続いて、より緩い角度で回転移動させるように、一対の前記第１ガイド溝と一対の前記第２ガイド溝との傾斜角が設定されたことで、全開状態の位置から、可動部が基板部に対して反時計方向に回転移動するように変位されつつスライドし、続いて、より緩い角度で基板部に対して反時計方向に回転移動するように変位されつつスライドし、全閉状態の位置まで相対移動することによって、より強い挟持力を得ることができる挟持クリップを提供できる。
【００５６】
本発明によれば、請求項９記載に記載したように、前記挟持部が、前記可動部における前記基板部との対向面に形成された係合突起と、前記基板部における前記可動部との対向面に形成され、前記係合突起を遊嵌される係合凹部とからなり、前記係合凹部は、前記可動部の全開状態から全閉状態に遷移する方向に向かって、徐々に幅が狭くなるように、かつ、前記可動部との離間方向に徐々に傾斜するように形成されたことで、挟持部の係合突起は、物品に引張り力が作用した場合に、係合凹部における可動部の全開状態から全閉状態に遷移する方向側の幅の狭い部位側に相対移動されるので、物品を係合突起及び係合凹部間でより強固に挟持することができる。これにより、挟持した物品の抜け等を確実に防止することができる挟持クリップを提供できる。
【００５７】
本発明によれば、請求項１０記載に記載したように、前記挟持部の係合凹部の傾斜が、一対の前記第２ガイド溝の傾斜より緩いので、挟持部の係合突起及び係合凹部間での物品の挟持を、より強固に行うことができる挟持クリップを提供できる。
【００５８】
本発明によれば、請求項１１記載に記載したように、基板部に導電性部材を有することで、他の導電性部材を挟持することにより、電気的接続を容易かつ確実に行うことができる挟持クリップを提供できる。
【００５９】
本発明によれば、請求項１２に記載したように、医療用のシート状電極を挟持することで、厚みや材質が異なる多様な医療用のシート状電極を挟持することができ、医療機器への電気的接続を容易かつ確実に行うことができる。
【００６０】
本発明に係る挟持クリップは、心電図検査のため、生体に貼付される医療用のシート状電極を挟持し、電気的接続を行うために使用した場合に、患者が動いた際、シート状電極が容易に外れることがない。また、何らかの原因で、シート状電極が強く引っ張られた場合には、挟持する力がより強く働くためシート状電極が容易に外れることがない。
【図面の簡単な説明】
【図１】  本発明の第１の実施の形態に係る挟持クリップを示す分解斜視図である。
【図２】  図１の挟持クリップの全閉状態を示す斜視図である。
【図３】  第１の実施の形態に係る挟持クリップの側面図である。
【図４】  図２の挟持クリップのシート状電極を挟持した状態を示す断面図である。
【図５】  図１の挟持クリップの全閉状態から全開状態へのスライド途中の状態を示す側面図である。
【図６】  第２の実施の形態に係る挟持クリップの側面図である。
【図７】  第３の実施の形態に係る挟持クリップの側面図である。
【図８】  第４の実施の形態に係る挟持クリップの側面図である。
【図９】  第５の実施の形態に係る挟持クリップの側面図である。
【図１０】  第６の実施の形態に係る挟持クリップの側面図である。
【図１１】  従来のシート電極用クリップを示す分解斜視図である。
【図１２】  従来の電極コネクタを示す断面図である。
【符号の説明】
１０  挟持クリップ
１１  物品（シート状電極）
２０  可動部
３０  基板部
３１  リード線
３２  導電性部材
４０  ガイド手段（ガイド機構）
４１  第１ガイド突起
４２，４２ａ，４２ｂ，４２ｃ，４２ｄ，４２ｅ  第２ガイド溝
４３，４３ａ，４３ｂ，４３ｃ，４３ｄ，４３ｅ  第１ガイド溝
４４  第２ガイド突起
４５  許容代
５０  挟持部
５１  係合突起
５２  係合凹部
【図１】
0003806835.tif 000002
【図２】
0003806835.tif 000003
【図３】
0003806835.tif 000004
【図４】
0003806835.tif 000005
【図５】
0003806835.tif 000006
【図６】
0003806835.tif 000007
【図７】
0003806835.tif 000008
【図８】
0003806835.tif 000009
【図９】
0003806835.tif 000010
【図１０】
0003806835.tif 000011
【図１１】
0003806835.tif 000012
【図１２】
0003806835.tif 000013